(57)【要約】      （修正有）【課題】吸込具の後退時には、吸込具の後方の床面にある固形塵埃の吸込みを可能とし、さらに吸込具の前進時には、前方から吸い込んだ塵埃を吸込具より後方へ排出しにくくし、塵埃の吸い残しを抑制する。【解決手段】清掃面と略平行な回転軸２１を有する第一回転清掃体２０と、第一回転清掃体２０を支持する吸込室Ｑ２と、第一回転清掃体２０の後方に、回転軸２１と平行な軸３０ａを有し、清掃面と接触する第二回転清掃体３０と、を備え、第二回転清掃体２０の表面には、刷毛体もしくは弾性体が設けられ、吸込具には、一端が吸込室に支持されている抵抗体６０を有し、後進時に第二回転清掃体３０の回転動作を許容し、かつ抵抗体６０の他端と刷毛体もしくは弾性体の一部とが接触し、前進時には抵抗体６０の他端が該刷毛体もしくは弾性体の外周より中心側で接触し、第二回転清掃体３０の回転動作を規制する。【選択図】図６
2018068457.tif 000002
【特許請求の範囲】
【請求項１】
清掃面と略平行な回転軸を有する第一回転清掃体と、前記第一回転清掃体を支持する吸込室と、前記第一回転清掃体の後方に、前記回転軸と平行な軸を有し、前記清掃面と接触する第二回転清掃体と、を備え、
該第二回転清掃体の表面には、刷毛体もしくは弾性体が設けられ、
当該吸込具には、一端が前記吸込室に支持されている抵抗体を有し、後進時に前記第二回転清掃体の回転動作を許容し、かつ該抵抗体の他端と該刷毛体もしくは弾性体の一部とが接触し、前進時には該抵抗体の他端が該刷毛体もしくは弾性体の外周より中心側で接触し、前記第二回転清掃体の回転動作を規制するように構成されていることを特徴とする電気掃除機の吸込具。
【請求項２】
該抵抗体の一部もしくは全てが弾性体で構成されていることを特徴とする請求項１に記載の電気掃除機の吸込具。
【請求項３】
該刷毛体もしくは弾性体が、円周方向に傾斜していることを特徴とする請求項１又は２に記載の電気掃除機の吸込具。
【請求項４】
請求項１乃至３の何れか１項に記載の電気掃除機の吸込具を用いた電気掃除機。
【発明の詳細な説明】
【技術分野】
【０００１】
本発明は、電気掃除機の吸込具およびそれを用いた電気掃除機に関する。
【背景技術】
【０００２】
従来技術として、吸込口に、被掃除面上を自由転動する起毛布ローラ体を取り付けた電気掃除機の吸込具がある。
【０００３】
特許第３２６８５１４号（特許文献１）には、前記起毛布ローラ体の回転方向の一方向の動きを規制し、回転方向の逆方向の動きをフリーとする制動手段を備えた技術が記載されている。
【先行技術文献】
【特許文献】
【０００４】
【特許文献１】特許第３２６８５１４号公報
【発明の概要】
【発明が解決しようとする課題】
【０００５】
しかしながら、特許文献１に記載の制動手段は、吸込具の起毛布ローラ体周面と対向する壁面との間に形成された楔状空間と、楔状空間内に配置されて起毛布ローラ体周面と壁面との間に介在し、起毛布ローラ体の回転方向の一方向の動き時に楔状空間内の奥に嵌入して起毛布ローラ体の動きを規制する制動輪とから構成されているため、構造が複雑であった。また、砂ゴミ等の侵入や糸からみにより制動輪の動きが妨げられ、起毛布ローラ体の制動機能が損なわれる恐れがあった。そのため、吸込具の後退時に、起毛布ローラ体の回転が規制され、吸込具の後方の塵埃が集塵されない場合や、吸込具の前進時に起毛布ローラ体が回転して、吸込口に吸引された塵埃が起毛布ローラ体の後方に出ていく場合がある。このような場合、起毛布ローラ体の下方掃除面側と他面側に生じる気流が、清掃面の塵埃の吸込みに効果的に作用していなかった。
【０００６】
本発明は、簡単な構成で、起毛布ローラ体の回転方向の一方向の動きを許容し、かつ起毛布ローラ体の下方掃除面側とは他面側に生じる気流を規制し、回転方向の逆方向の動きと起毛布ローラ体の下方掃除面側とは他面側に生じる気流を規制し、吸込具の集塵性能を向上させた電気掃除機の吸込具およびそれを用いた電気掃除機を提供することを目的とする。
【課題を解決するための手段】
【０００７】
本発明は、課題を解決するために、清掃面と略平行な回転軸を有する第一回転清掃体と、前記第一回転清掃体を支持する吸込室と、前記第一回転清掃体の後方に、前記回転軸と平行な軸を有し、前記清掃面と接触する第二回転清掃体と、を備え、該第二回転清掃体の表面には、刷毛体もしくは弾性体が設けられ、当該吸込具には、一端が前記吸込室に支持されている抵抗体を有し、後進時に前記第二回転清掃体の回転動作を許容し、かつ該抵抗体の他端と該刷毛体もしくは弾性体の一部とが接触し、前進時には該抵抗体の他端が該刷毛体もしくは弾性体の外周より中心側で接触し、前記第二回転清掃体の回転動作を規制するように構成されている。
【発明の効果】
【０００８】
本発明によれば、簡単な構成で、起毛布ローラ体の回転方向の一方向の動きを許容し、回転方向の逆方向の動きを規制し、かつ起毛布ローラ体の下方掃除面側とは他面側に生じる気流を減少することで、吸込具の集塵性能を向上させた電気掃除機の吸込具およびそれを用いた電気掃除機を提供することができる。
【図面の簡単な説明】
【０００９】
【図１】本発明の実施形態に係る電気掃除機の全体を示す外観斜視図である。
【図２】本発明の実施形態に係る吸込具の上面図である。
【図３】本発明の実施形態に係る吸込具の下面図である。
【図４】本発明の実施形態に係る吸込具の後面図である。
【図５】本発明の実施形態に係る吸込具の上ケースを外した状態を示す上面図である。
【図６】図２のＡ−Ａ断面図である。
【図７】図２のＢ−Ｂ断面図である。
【図８】床面に接している状態の本発明の実施形態に係る吸込具の側面図である。
【図９】前進時の本発明の実施形態に係る吸込具の側面図である。
【図１０】後退時の本発明の実施形態に係る吸込具の側面図である。
【図１１】別の実施形態に係る、図２のＡ−Ａ線断面図で、第二回転清掃体付近の拡大図である。
【図１２】後進時の別の実施形態に係る、図２のＡ−Ａ線断面図で、第二回転清掃体付近の拡大図である。
【図１３】前進時の別の実施形態に係る、図２のＡ−Ａ線断面図で、第二回転清掃体付近の拡大図である。
【図１４】後進時の別の実施形態に係る、図２のＡ−Ａ線断面図で、第二回転清掃体付近の拡大図である。
【図１５】前進時の別の実施形態に係る、図２のＡ−Ａ線断面図で、第二回転清掃体付近の拡大図である。
【図１６】別の実施形態に係る吸込具の下面図である。
【図１７】別の実施形態に係る吸込具の後面図である。
【発明を実施するための形態】
【００１０】
以下、本発明に係る実施形態について適宜図面を参照して説明するが、本実施形態は以下の内容に限定されるものではなく、本発明の趣旨の範囲内において適宜変更して実施可能である。
【００１１】
＜電気掃除機１＞
図１は、本発明の実施形態に係る電気掃除機１の全体を示す外観斜視図である。
【００１２】
図１に示すように、電気掃除機１は、掃除機本体２と、ホース部３と、手元操作スイッチＳＷ等が設けられた操作管４と、伸縮自在に設けられた延長管５と、吸込具６とを備えて構成されている。
【００１３】
掃除機本体２は、吸引力を発生させる電動送風機２ａを備え、この電動送風機２ａの吸引力で集塵した塵埃を収容する集塵部２ｂなどを備えている。なお、本実施形態では、いわゆるサイクロン式の電気掃除機を例に挙げて説明するが、いわゆる紙パック式の電気掃除機に適用してもよい。
【００１４】
ホース部３の一端は、掃除機本体２の集塵部２ｂと連通するように掃除機本体２の接続口２ｃに接続されている。また、ホース部３の他端は、操作管４の一端に接続されている。
【００１５】
操作管４は、手元操作スイッチＳＷなどを備えたグリップ４ａ、延長管５が接続されて掃除機本体２から給電される給電端子（図示せず）などを備えている。この給電端子には、延長管５の一端に設けられる通電端子（図示せず）が接続される。
【００１６】
操作管４の手元操作スイッチＳＷを操作することなどによって、電動送風機２ａの運転の強中弱切り替えや、吸込具６に設けられた第一回転清掃体２０の入り切り等が可能となっている。
【００１７】
延長管５は、外管５ａと内管５ｂとを備え、外管５ａの他端部に内管５ｂの一端部が挿入されて外管５ａと内管５ｂとの内側に設けられた通風路（図示せず）が連通するように連結されて、伸縮自在に構成されている。なお、図１は、延長管５が最短の状態を図示している。
【００１８】
＜吸込具６＞
図２は、本発明の実施形態に係る吸込具６の上面図である。
【００１９】
図２に示すように、吸込具６は、略Ｔ字形状を呈する吸口ケース１０と、吸口ケース１０に連結される吸口継手１３とで構成されている。
【００２０】
吸口ケース１０は、左右方向（幅方向、後術する第一回転清掃体２０の回転軸方向）に細長く形成された吸口本体１１と、吸口本体１１の長手方向（左右方向）の中央部に吸口継手１３と連結される連結部１２とを備えている。連結部１２には、吸口本体１１と吸口継手１３とを連通させる流路Ｒ（図３参照）が形成されている。
【００２１】
吸口本体１１には、前端面から左右側面にかけてバンパ１１ａが設けられている。バンパ１１ａは、ゴムやエラストマー等の弾性材料で形成されており、使用時に吸口本体１１内の気密を保持する。また、電気掃除機１（図１参照）の使用時に吸口本体１１が家具等に衝突した際に、当該家具等の傷付きを防止するとともに、吸口本体１１への衝撃を吸収する緩衝材の役割を果たしている。
【００２２】
吸込具６は、吸口本体１１の長手方向（左右方向）の中央部に発光手段７０を備えている。この発光手段７０は、操作管４の手元操作スイッチＳＷを操作することなどによって選ばれた、電動送風機２ａの運転の強中弱状態（例えば強運転時には赤色、中運転時にはオレンジ色、弱運転時は緑色）を表示する。
【００２３】
吸口継手１３は、連結部１２に対して回動自在に連結される第１接続管１４と、この第１接続管１４に対して回動自在に連結される第２接続管１５とを備えている。
【００２４】
第１接続管１４は、図２に示す上面図において略半トラック形状を呈し、連結部１２と連結される一部開口した流路を有する円筒形状の軸１４ａを有している。軸１４ａは、軸方向が吸口本体１１の長手方向であって、軸１４ａの両端部が連結部１２に形成された一対の軸受部１２ｇ（図５参照）に支持されている。また、第１接続管１４は、床面（清掃面）に対して略平行な状態から略垂直な状態まで（上下方向に）回動可能となるように構成されている。すなわち、第１接続管１４を吸口ケース１０に対して軸１４ａを支点として回動させることによって、延長管５を床面に略平行な状態と略垂直な状態との間において回動させることができる。
【００２５】
第２接続管１５は、第１接続管１４に対して長手方向に（図２の紙面時計回り方向および反時計回り方向に）回動可能となるように構成されている。これにより、例えば、延長管５を床面に対して略垂直にした状態から、延長管５を床面に略平行な状態に向けて倒すことができる。
【００２６】
また、第２接続管１５には、給電が行われる給電端子１５ａ、１５ａが設けられている。なお、本実施形態の電気掃除機１（図１参照）では、吸込具６に給電する電力を、掃除機本体２からホース部３、操作管４、延長管５を通じて供給するように構成されている。
【００２７】
このような吸口継手１３は、例えば延長管５（図１参照）を床面に対して略垂直とした状態において、その延長管５を左右方向（長手方向）に倒し、操作管４（グリップ４ａ）を時計回りあるいは反時計回りにねじることで、吸口本体１１を時計回りあるいは反時計回りのいずれかに略９０度回転させ、吸口本体１１の長手方向を移動方向にした掃除が可能である。したがって、壁際に沿って吸込具６を移動させる掃除や、狭い隙間に吸込具６を挿入する掃除が可能になる。
【００２８】
図３は、本発明の実施形態に係る吸込具６の下面図、図４は吸込具６の後面図である。
【００２９】
図３に示すように、吸込具６は、第一回転清掃体２０、第二回転清掃体３０を備えている。吸口ケース１０（吸口本体１１）には、下面（清掃面に対峙する面）に、開口部を有する吸込室Ｑ２（図６参照）が形成されている。なお、第一回転清掃体２０や第二回転清掃体の数はこれに限るものではない。
【００３０】
第一回転清掃体２０は、吸口本体１１の長手方向（左右方向）に沿って前後方向の連結部１２の前側に配置され、吸口本体１１に回転可能に支持されている。
【００３１】
また、第一回転清掃体２０は、線径や密度や硬さが異なる刷毛体や弾性体などの複数種類のブラシ２０ａ、２０ｂ、２０ｃを備え、各ブラシ２０ａ、２０ｂ、２０ｃが回転軸２１（図６参照）に対してらせん状に配設されている。なお、本実施形態では、３種類のブラシ２０ａ、２０ｂ、２０ｃを配設した場合を例に挙げて説明したが、これに限定されるものではなく、２種類以下であっても、４種類以上であっても良い。また、らせん状に配置されたブラシ間にゴムなどの弾性材料からなるブレード部材をらせん状に配置する構成を追加しても良く、適宜変更することができる。
【００３２】
第二回転清掃体３０は、第一回転清掃体２０の直径よりも小径の刷毛体３０ｂを有し、第一回転清掃体２０に対して後方且つ平行に配置されている。また、第二回転清掃体３０は、第一回転清掃体２０の軸方向（吸口本体１１の長手方向）の一端側から他端側にかけて連続して設けられている。換言すると、第二回転清掃体３０は、１本の刷毛体３０ｂによって構成されている。
【００３３】
また、第二回転清掃体３０は、第一回転清掃体２０の回転軸２１と平行な軸部３０ａ（軸）を有している。この軸部３０ａの外周のパイプ体３０ｅ（図６参照）の外側に微細繊維で形成されたカットパイル状の刷毛体（起毛布）３０ｂがパイプ体３０ｅの回転軸方向に対して螺旋状に巻かれており、この刷毛体（起毛布）３０ｂの微細繊維はパイプ体３０ｅに対し円周方向に傾斜している。パイプ体３０ｅの両端面には、ホルダー３０ｃが固定されている。そして、このホルダー３０ｃは、巻き付けた刷毛体（起毛布）３０ｂの端部を押さえて剥がれを防止するとともに、軸部３０ａの軸受けを兼ねている。軸部３０ａとパイプ体３０ｅは略同心円で隙間を有するので、これによりパイプ体３０ｅおよび刷毛体（起毛布）３０ｂは、軸部３０ａに回動可能に支持されている。このように、第二回転清掃体３０を電動機４０（図６参照）で駆動させるのではなく、軸部３０ａを介して吸口本体１１に支持させ、床面との接触により回転駆動させることにより、第二回転清掃体３０の構成を簡略化することができる。さらに、刷毛体（起毛布）３０ｂの微細繊維は一方向の回転動作を許容し他方向の回転動作を規制するようにパイプ体３０ｅに対し円周方向に傾斜しているため、吸込具６の組み立て時に誤って逆方向に取り付けることのないように、ホルダー３０ｃは、左右で異なる色を用いる、形状を変えるなどし、吸口本体１１におけるホルダー３０ｃに対応する部分もそれに応じて色や形状を変えることで、左右の取り付け方向が分かり、誤って取り付けることがないようになっている。
【００３４】
また、ホルダー３０ｃを含む第二回転清掃体３０の左右幅は、この第二回転清掃体３０を取り付ける収納室の幅Ｌ１より短く構成してある。そのため第二回転清掃体３０は左右に隙間を有しており、この隙間分、軸部３０ａに沿って左右に移動することができる。これにより、清掃時に床面の糸屑や髪の毛等の細長い塵埃が軸部３０ａに巻き付く事を防止することができ、軸部３０ａに巻き付いた場合においても、容易に取り除く事が出来る。
【００３５】
なお、吸口ケース１０には吸口ケース１０の連結部１２の下面にブラシ駆動スイッチ１６が設けられ、ブラシ駆動スイッチ１６の後方（連結部１２の後端）に車輪１７が設けられている。
【００３６】
ブラシ駆動スイッチ１６は、吸込具６の下面が清掃面に接触しているか否かを検出するスイッチである。ブラシ駆動スイッチ１６は、車輪１６ａを備え、この車輪１６ａがばね等の付勢手段によって常に吸口ケース１０（連結部１２）の下面から突出するように設けられている。そして、車輪１６ａが飛び出して床面と接触していないと検出された場合は、後記する回路基板５０（制御基板）によって電動機４０の駆動が停止される。また、車輪１６ａが押し込まれて床面と接触していると検出された場合は、回路基板５０によって電動機４０が駆動される。
【００３７】
車輪１７は、操作管４で操作される前後動や回転操作の応力を受けて吸込具６の底面を清掃面に密着させ、これにより吸込具６の操作性能を向上する役割を有している。
【００３８】
また、車輪１７は、第二回転清掃体３０の軸部３０ａ（図６参照）と平行な軸１７ａを有し、この軸１７ａが吸口ケース１０（連結部１２）に回動自在に支持されている。また、車輪１７は、軸方向の中央に左右両端よりも小径の小径部１７ｂを有している。なお、小径部１７ｂによって形成される凹みは、車輪１７が床面Ｍに接触したときに、例えば、米粒などの粒形の大きな固形塵埃が通過できる大きさ以上の隙間に設定される。
【００３９】
図５は、吸込具６の上ケース１１Ｂを外した状態を示す上面図である。
【００４０】
図５に示すように、吸込具６は、第一回転清掃体２０および一対の第二回転清掃体３０の上方に、第一回転清掃体２０を駆動する電動機４０および電動機４０を制御する回路基板５０を備えている。
【００４１】
＜電動機４０＞
電動機４０は、吸口本体１１の長手方向の一端側に取り付けられている。また、電動機４０は、その出力軸４０ａ（図６参照）が吸口本体１１の長手方向と平行に配置されている。また、電動機４０の出力軸４０ａは、長手方向の一端側に向けて延び、吸口本体１１内の一端部（図示右側の端部）において、歯付きベルト４０ｂを介して第一回転清掃体２０の回転軸２１（図６参照）と連結されている。
【００４２】
カバー部材４３は、合成ゴム等の弾力性を有する絶縁部材で形成され、このカバー部材４３の弾力性を利用して収容室Ｑ１に電動機４０の一端側が支持されているので、電動機４０の振動が吸口ケース１０に伝わり難い構造となっている。
【００４３】
回路基板５０は、吸口本体１１の長手方向の他端側に取り付けられている。また、回路基板５０は、長辺が長手方向に向くようにして配置された長方形状の基板で構成され、実装面５０ａが鉛直方向上方を向くように吸口本体１１内に配置されている。なお、実装面５０ａは、必ずしも鉛直方向上方を向くものに限定されず、水平方向に対して傾斜してもよく、前後方向を向くように（縦向きに）してもよい。
【００４４】
図６および図７は図２に示すそれぞれの断面の断面図であり、図６はＡ−Ａ断面図、図７はＢ−Ｂ断面図である。
【００４５】
図６および図７に示すように、吸口ケース１０の吸口本体１１は、第一回転清掃体２０を覆うように下部分を形成する下ケース１１Ａ、および下ケース１１Ａの上部に被着された上ケース１１Ｂを備えている。これら下ケース１１Ａ、上ケース１１Ｂを含む吸口ケース１０および前記した吸口継手１３の主たる部品は、軽量で硬質の材料、例えば、ＡＢＳ樹脂等の合成樹脂材料で形成され、剛性が高められている。
【００４６】
下ケース１１Ａは、第一回転清掃体２０が配置される吸込室Ｑ２と、電動機４０が収容される収容室Ｑ１とを区画する隔壁１１ｃを有している。隔壁１１ｃは、第一回転清掃体２０の表面に沿って形成される湾曲部１１ｄと、第二回転清掃体３０の表面に沿って形成される湾曲部１１ｅとを有する。
【００４７】
上ケース１１Ｂは、連結部１２と一体に形成されて電動機４０および回路基板５０（図５参照）の上部を覆う本体部１１ｆと、この本体部１１ｆの外側に重ねて配置されるカバー部１１ｇとを有している。カバー部１１ｇは、上ケース１１Ｂの前部および左右両端部に渡って配置されている（図２参照）。本実施形態では、バンパ１１ａが、下ケース１１Ａと上ケース１１Ｂ（カバー部１１ｇ）とで挟み込まれることで保持されている。
【００４８】
電動機４０のステータ４１は、横断面（出力軸４０ａに直交する断面の輪郭、輪切り断面）が略小判形状を呈している。ステータ４１は、一対の円弧部４１ａと、これらの円弧部４１ａをつなぐ一対の直線部４１ｂとを備えている。なお、電動機４０は、略小判形状のものに限定されるものではなく、円形状のものであってもよい。
【００４９】
また、電動機４０は、収容室Ｑ１において、直線部４１ｂが鉛直方向の軸Ｚ１に対して傾斜した姿勢、つまり一方の円弧部４１ａが前方上向き且つ他方の円弧部４１ａが後方下向きとなるように収容されている。
【００５０】
また、電動機４０は、収容室Ｑ１において、電動機４０（ステータ４１）の前端部４１ｓが、第一回転清掃体２０の後端部２０ｓよりも前方に位置するように配置されている。これにより、第一回転清掃体２０の後端部２０ｓから後方に突出する電動機４０の距離を短くでき、吸口本体１１の前後幅Ｄ（図２参照）を短くすることが可能になる。
【００５１】
また、電動機４０は、収容室Ｑ１において、電動機４０（ステータ４１）の下端部４１ｔが、第一回転清掃体２０の上端部２０ｔよりも鉛直方向の下方に位置するように配置されている。これにより、第一回転清掃体２０の上端部２０ｔから上方に突出する電動機４０の距離を短くでき、吸口本体１１の清掃面から高さ（最大高さ）を低くすることができる。その結果、ソファやベッドなどの高さの低い隙間に吸口本体１１を挿入し易くできる。
【００５２】
ステータ４１の内部には、アーマチュア４４が回転自在に支持されている。ステータ４１の内周には、界磁用の瓦状に形成された２つのマグネット４５が周方向に間隔を隔てて固着されている。すなわち、本実施形態の電動機４０は、スロットの個数が７個、マグネット４５が２つ設けられた２極７スロットのモータである。なお、前記したスロットの数は、７個に限られることはなく他の個数（例えば８個）に設定しても良い。
【００５３】
また、吸口本体１１の上ケース１１Ｂは、円弧部４１ａの近傍および直線部４１ｂの近傍において、円弧部４１ａおよび直線部４１ｂに略沿う形状を有している。
【００５４】
＜回路基板５０＞
図７に示すように、回路基板５０は、収容室Ｑ１において、実装面が鉛直方向（上下方向）上向きとなるように配置されている。すなわち、回路基板５０は、第一回転清掃体２０の後方ではなく、第一回転清掃体２０の上端部２０ｔよりも上側に配置されている。なお、回路基板５０は、図示しない位置決め手段やねじ固定によって、位置ずれしないように吸口本体１１内に固定されている。また、本実施形態では、回路基板５０を水平に配置した場合を例に挙げて説明したが、回路基板５０を水平方向に対して傾斜した状態で配置する構成であってもよく、回路基板５０の実装面が前後方向を向くように、回路基板５０を起立した状態で配置しても良い。
【００５５】
＜第一回転清掃体２０＞
先述したように、吸口本体１１には、第一回転清掃体２０および一対の第二回転清掃体３０を備えている。
【００５６】
第一回転清掃体２０は、回転軸２１にブラシ２０ａ、２０ｂ、２０ｃを螺旋状に保持するコア部材２２が外嵌されている。このように、ブラシ２０ａ、２０ｂ、２０ｃを螺旋状に配置することにより、第一回転清掃体２０が回転したときに、床面Ｍにブラシ２０ａ、２０ｂ、２０ｃを連続して当てることができ、第一回転清掃体２０の動作時の振動を抑制することができる。
【００５７】
＜第二回転清掃体３０＞
第二回転清掃体３０は、パイプ体３０ｅの外側に微細繊維で形成されたカットパイル状の刷毛体（起毛布）３０ｂが螺旋状に巻かれており、この刷毛体（起毛布）３０ｂの微細繊維はパイプ体３０ｅに対し円周方向に傾斜している。パイプ体３０ｅの両端面には、ホルダー３０ｃが固定されている。そして、このホルダー３０ｃは、巻き付けた起毛布３０ｂの端部の剥がれ防止と、軸部３０ａの軸受けを兼ねている。
【００５８】
また、軸部３０ａにパイプ体３０ｅを介して断面が略円形状に取り付けられた刷毛体（起毛布）３０ｂは、第一回転清掃体２０と接触しない位置に配置されている。このように、第二回転清掃体３０を第一回転清掃体２０に接触しない範囲において、第一回転清掃体２０と第二回転清掃体３０とを最大限接近させることにより、吸口本体１１の前後幅Ｄ（図２参照）を短くすることが可能になり、吸込具６の小型軽量化が可能となる。
【００５９】
＜抵抗体６０＞
断面視において、下ケース１１Ａの湾曲部１１ｄは第一回転清掃体２０の略前端部まで延び、湾曲部１１ｅは第二回転清掃体３０との間に微小な隙間Ｃ１を有し、軸部３０ａの後方且つ軸部３０ａの上方の位置まで延びている。湾曲部１１ｅの後端部には抵抗体６０が、係止部６１によって係合保持される。詳しくは、抵抗体６０の上端部に設けた閂部６０ａが、係止部６１に設けた前方当接部６１aと後方当接部６１ｂによって形成される空間６１ｃ内に保持される。抵抗体６０の閂部６０ａは、係止部６１で形成される空間６１ｃ内で可動できるため、前方当接部６１aと後方当接部６１ｂの隙間の範囲（前後幅）内で傾倒する構成となっている。また、本実施形態において、抵抗体６０は、ＡＢＳ樹脂等の合成樹脂材料で形成され、剛性が高められているが、エラストマーまたはゴムなどの弾性材料でも構わない。
【００６０】
以上の抵抗体６０、および第二回転清掃体３０において、吸込具６を操作した場合について述べる。
【００６１】
Ｗ２は吸込具６を後方に操作した場合の、第二回転清掃体３０の回転方向を示している。
【００６２】
吸口本体１１を後方に操作した場合、第二回転清掃体３０は床面Ｍおよび抵抗体６０との摩擦抵抗を受ける。このとき、抵抗体６０は第二回転清掃体３０の刷毛体３０ｂの外周接線に沿う位置に傾倒し、且つ第二回転清掃体３０の刷毛体３０ｂが円周方向に傾斜していることで、床面Ｍの摩擦抵抗より抵抗体６０との摩擦抵抗が小さくなり、第二回転清掃体３０の回転動作を許容して、第二回転清掃体３０はＷ２方向に回転する。
【００６３】
また、抵抗体６０が第二回転清掃体３０の刷毛体３０ｂの外周接線に沿う位置に傾倒することで、刷毛体３０ｂと湾曲部１１ｅの隙間Ｃ１を閉口し、吸口本体１１の後方から隙間Ｃ１を通過しようとする隙間気流Ｖ２ｃを抑制する。これにより、パイプ体３０ｅと床面Ｍの間を流れる床面後方気流Ｖ２ａおよび床面前方気流Ｖ１が増加し床面Ｍからの塵埃を効果的に吸い込むことができる。
【００６４】
この起毛布３０ｂの先端は、抵抗体６０と接触する高さを有している。このため、第二回転清掃体３０が回転する際、刷毛体３０ｂの微細繊維がパイプ体３０ｅに対し円周方向に傾斜し、且つ抵抗体６０が前方当接部６１aと後方当接部６１ｂとの前後幅内で傾倒可能なため、回転方向Ｗ２では、抵抗体６０が刷毛体３０ｂの外周接線に沿う位置に傾倒することで、刷毛体３０ｂと抵抗体６０の摩擦抵抗は小さく自由に回転する。一方、回転方向Ｗ３では、抵抗体６０が刷毛体３０ｂの外周より軸部３０ａ側に傾倒し、第二回転清掃体３０はロック状態となる。つまり、刷毛体（起毛布）３０ｂは常に抵抗体６０に接触しており、吸口本体１１の後進時に第二回転清掃体３０の回転方向Ｗ２への回転動作を許容し、かつ前進時に第二回転清掃体３０の回転方向Ｗ３への回転動作を規制するように円周方向に傾斜して設けられている。
【００６５】
また、抵抗体６０は吸口本体１１の後進時に第二回転清掃体３０の刷毛体３０ｂの外周接線に沿う位置に傾倒し、刷毛体３０ｂと湾曲部１１ｅの隙間Ｃ１を閉口し隙間気流Ｖ２ｃを減少させる。隙間気流Ｖ２ｃの流量減少分は、床面前方気流Ｖ１と床面後方気流Ｖ２ａに分配されるため両気流の流量が増加する。一方、吸口本体１１の前進時には抵抗体６０が刷毛体３０ｂの外周より軸部３０ａ側に傾倒し、刷毛体３０ｂと湾曲部１１ｅの隙間Ｃ１と、刷毛体３０ｂ内部の空間を閉口し、隙間気流Ｖ２ｃと刷毛内気流Ｖ２ｂの流量を減少させる。隙間気流Ｖ２ｃと刷毛内気流Ｖ２ｂの流量減少分は、床面前方気流Ｖ１と床面後方気流Ｖ２ａに分配されるためが両気流の流量が増加し、塵埃を効果的に吸込むことができる。
【００６６】
また、図６および図７では、第二回転清掃体３０の刷毛体（起毛布）３０ｂの外周と湾曲部１１ｅとの間に微小な隙間Ｃ１を有して設けられていたが、必ずしも微小な隙間Ｃ１を設ける必要はなく、刷毛体（起毛布）３０ｂの外周が湾曲部１１ｅと接しても、逆に隙間Ｃ１を大きく設けても構わない。このとき、吸込具６を後方に操作した場合に、第二回転清掃体３０がＷ２方向に回転し、抵抗体６０が第二回転清掃体３０の刷毛体３０ｂに接し外周接線に沿う位置に傾倒すれば同様な効果が得られる。
【００６７】
また、軸部３０ａの全周方向に刷毛体（起毛布）３０ｂを均等に巻き付けており、かつ抵抗体６０は刷毛体３０ｂに接しているため、吸込室Ｑ２から漏れる騒音や隙間を流れる気流により発生する騒音を低減することができる。
【００６８】
図８は、本発明の実施形態に係る吸込具６が床面に接している状態の側面図である。
【００６９】
図８に示すように、吸込具６が床面Ｍに接触すると、車輪１６ａが押し込まれ、ブラシ駆動スイッチ１６がオンになり、第一回転清掃体２０がＷ１方向（図示反時計回り方向）に回転する。このとき、床面Ｍと接触する領域のブラシ２０ａ、２０ｂ、２０ｃが撓むことで、ブラシ２０ａ、２０ｂ、２０ｃと床面Ｍとの接触量を十分に確保することができ、床面Ｍの塵埃を効果的に掻き込むことができる。
【００７０】
同様に、第二回転清掃体３０が床面Ｍと接触することにより、床面Ｍと接触する領域の刷毛体（起毛布）３０ｂが撓むことで、刷毛体（起毛布）３０ｂと床面Ｍとの接触抵抗を十分に確保することができる。
【００７１】
＜吸込具６の塵埃搬送＞
図９は、本発明の実施形態に係る吸込具６が後退している状態の側面図である。図９に示すように、第二回転清掃体３０は、刷毛体（起毛布）３０ｂと床面Ｍとの接触抵抗より、刷毛体（起毛布）３０ｂの外周接線に沿う位置に傾倒する抵抗体６０と刷毛体（起毛布）３０ｂとの接触抵抗が小さいため、Ｗ２で示す回転方向に回転し、また抵抗体６０により隙間気流Ｖ２ｃが低減するため、隙間気流Ｖ２ｃの流量減少分は床面前方気流Ｖ１と床面後方気流Ｖ２ａに分配され、それぞれの流量が増加する。これにより、床上の塵埃ＤＳを効果的に吸込室Ｑ２内に導入する。
【００７２】
導入された塵埃ＤＳは、吸込室Ｑ２（図６参照）から流路Ｒ（図３参照）を通じて吸口継手１３の通路に運ばれ、その後、延長管５、操作管４およびホース部３を通じて掃除機本体２の集塵部２ｂに吸引される（図１参照）。集塵部２ｂによって塵埃が取り除かれた空気は、図示しないフィルタおよび電動送風機２ａ内を通り、掃除機本体２の外部に排出される（図１参照）。
【００７３】
図１０は、本発明の実施形態に係る吸込具６が前進している状態の側面図である。図１０に示すように、第二回転清掃体３０は、刷毛体（起毛布）３０ｂと床面Ｍとの接触抵抗より、刷毛体（起毛布）３０ｂと刷毛体（起毛布）３０ｂの外周より軸部３０ａ側に傾倒した抵抗体６０との接触抵抗が大きいため回転せず、また抵抗体６０により隙間気流Ｖ２ｃと刷毛内気流Ｖ２ｂの流量を減少させ、隙間気流Ｖ２ｃと刷毛内気流Ｖ２ｂの流量減少分は床面前方気流Ｖ１と床面後方気流Ｖ２ａそれぞれの流量が増加する。これにより、床上の塵埃ＤＳを効果的に吸込室Ｑ２内に導入する。
【００７４】
さらには、吸込室Ｑ２内に吸引された塵埃が吸口本体１１の後方に掃き出されるのを防止することができ、とくに第一回転清掃体２０の回転によって吸込室Ｑ２内に吸引された塵埃が後方へ弾かれ、吸口本体１１の後方に飛び出ることを抑制できる。吸引された塵埃ＤＳは、吸込室Ｑ２（図６参照）から流路Ｒ（図３参照）を通じて吸口継手１３の通路に運ばれ、その後、延長管５、操作管４およびホース部３を通じて掃除機本体２の集塵部２ｂに吸引される（図１参照）。集塵部２ｂによって塵埃が取り除かれた空気は、図示しないフィルタおよび電動送風機２ａ内を通り、掃除機本体２の外部に排出される（図１参照）。
【００７５】
＜本発明における別の実施形態＞
本実施形態では、抵抗体６０は湾曲部１１ｅの後端部の係止部６１に係合保持され、前方当接部６１aと後方当接部６１ｂの範囲内で抵抗体６０が略傾倒可能に設けられている。
【００７６】
この構成と違い、例えば図１１に示すように、吸込具６を前進させ抵抗体６０が刷毛体３０ｂの外周より軸部３０ａ側に傾倒したとき、抵抗体６０の傾倒中心位置６０ｄからパイプ体３０ｅ外周までの最短距離Ｌ５が、抵抗体６０の傾倒中心位置６０ｄから抵抗体６０の先端６０ｅまでの距離Ｌ６より長くなるような構成である。これにより、第二回転清掃体３０の回転を規制し、また隙間気流Ｖ２ｃと刷毛内気流Ｖ２ｂを減少させるならば、前方当接部６１aを設けなくても良く、さらに吸込具６を後進させ抵抗体６０が刷毛体３０ｂの外周接線に沿う位置に傾倒する際は、後方当接部６１ｂに抵抗体６０が当接しなくても良い。また、後方当接部６１ｂは抵抗体６０が刷毛体３０ｂから意図せず離れるのを阻害するように設けられており、抵抗体６０が第二回転清掃体３０の回転を許容し、隙間気流Ｖ２ｃを低減するのであれば、後方当接部６１ｂを設けなくても良い。このように、前方当接部６１ａ、および後方当接部６１ｂを設けないことで、抵抗体６０との接触を減らすことで壊れにくくできる。
【００７７】
さらに、図１２および図１３に示すように、エラストマーまたはゴムなどの弾性材料からなる抵抗体６０を湾曲部１１ｅの後端部に一体に成型することでも同様の効果が得られる。
【００７８】
吸込具６を後退させたとき、第二回転清掃体３０が床面Ｍとの接触抵抗により回転し、抵抗体６０が刷毛体３０ｂの外周接線に沿う位置に弾性変形することで隙間気流Ｖ２ｃの流量が減少し、隙間気流Ｖ２ｃの減少分は床面前方気流Ｖ１と床面後方気流Ｖ２ａが増加するため、床上の塵埃ＤＳを効果的に吸込室Ｑ２内に導入することができる。また、吸込具６を前進させたときに（吸込具６を前方へ押したときに）、抵抗体６０が刷毛体３０ｂの外周より軸部３０ａ側に弾性変形することで、第二回転清掃体３０の回転を抵抗体６０が規制し、隙間気流Ｖ２ｃと刷毛内気流Ｖ２ｂの流量を減少させ、隙間気流Ｖ２ｃと刷毛内気流Ｖ２ｂの流量減少分は床面前方気流Ｖ１と床面後方気流Ｖ２ａそれぞれの流量が増加するため、床上の塵埃ＤＳを効果的に吸込室Ｑ２内に導入することができ、かつ第一回転清掃体２０によって吸込室Ｑ２内に掻き込まれた塵埃が、吸口本体１１の後方に掃き出されるのを防止することができる。
【００７９】
また、抵抗体６０をエラストマーまたはゴムなどの弾性材料にすることで、閂部６０ａの動きが減少し係止部６１を小さく構成できるため、吸口本体１１の前後幅Ｄを短くすることができる。
【００８０】
さらに、図１４および図１５に示すように、ＰＥＴ（Polyethyleneterephthalate）などの板厚1mm以下の部材からなる抵抗体６０で構成しても良く、抵抗体６０を接着、溶着、係合などの保持方法により湾曲部１１ｅに設けることでも吸込具６を後退させたときに、第二回転清掃体３０が床面Ｍとの接触抵抗により回転し、抵抗体６０が刷毛体３０ｂの外周接線に沿う位置に弾性変形することで隙間気流Ｖ２ｃの流量が減少し、隙間気流Ｖ２ｃの流量減少分は床面前方気流Ｖ１と床面後方気流Ｖ２ａそれぞれの流量が増加するため、床上の塵埃ＤＳを効果的に吸込室Ｑ２内に導入することができる。また、吸込具６を前進させたときに、抵抗体６０が刷毛体３０ｂの外周より軸部３０ａ側に弾性変形することで、第二回転清掃体３０の回転を抵抗体６０が規制し、隙間気流Ｖ２ｃと刷毛内気流Ｖ２ｂの流量を減少させ、隙間気流Ｖ２ｃと刷毛内気流Ｖ２ｂの流量減少分は、床面前方気流Ｖ１と床面後方気流Ｖ２ａそれぞれの流量が増加するため、床上の塵埃ＤＳを効果的に吸込室Ｑ２内に導入することができ、かつ第一回転清掃体２０によって吸込室Ｑ２内に掻き込まれた塵埃が、吸口本体１１の後方に掃き出されるのを防止することができる。また、抵抗体６０をＰＥＴなどの板厚1mm以下の部材で構成することで、抵抗体６０の保持部を薄く構成することができ、吸口本体１を低くすることができる。
【００８１】
さらに、図１６および図１７に示すように、第二回転清掃体３０が２本で構成される吸込具６においても、抵抗体６０を第二回転清掃体３０に接する位置に配し、吸込具６を後退させたときに、第二回転清掃体３０が床面Ｍとの接触抵抗により回転し、抵抗体６０が刷毛体３０ｂの外周接線に沿う位置に傾倒することで隙間気流Ｖ２ｃの流量が減少し、隙間気流Ｖ２ｃの流量減少分は床面前方気流Ｖ１と床面後方気流Ｖ２ａそれぞれの流量が増加するため、床上の塵埃ＤＳを効果的に吸込室Ｑ２内に導入することができる。また、吸込具６を前進させたときに、抵抗体６０が刷毛体３０ｂの外周より軸部３０ａ側に傾倒することで、第二回転清掃体３０の回転を抵抗体６０が規制し、隙間気流Ｖ２ｃと刷毛内気流Ｖ２ｂの流量を減少させ、隙間気流Ｖ２ｃと刷毛内気流Ｖ２ｂの流量減少分は、床面前方気流Ｖ１と床面後方気流Ｖ２ａそれぞれの流量が増加するため、床上の塵埃ＤＳを効果的に吸込室Ｑ２内に導入することができ、かつ第一回転清掃体２０によって吸込室Ｑ２内に掻き込まれた塵埃が、吸口本体１１の後方に掃き出されるのを防止することができる。
【００８２】
このように抵抗体６０は１つもしくは複数であってもよく、また必ずしも湾曲部１１ｅの後端部に設ける必要は無く、抵抗体６０の数量、配置構成、材質は適宜変更することができる。
【００８３】
なお、本実施形態では、第一回転清掃体２０を３種類のブラシ２０ａ、２０ｂ、２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる
また、本実施形態では、第二回転清掃体３０の回転方向Ｗ３時には、ほぼロック状態となると述べたが、必ずしもロックする必要はなく、吸込具６が前進している状態で第二回転清掃体３０の回転が、フリーの時と比較して遅くなれば、第一回転清掃体２０によって吸込室Ｑ２内に掻き込まれた塵埃が吸口本体１１の後方に掃き出されるのを防止することができる。また、本実施形態において、第二回転清掃体３０の表面には刷毛体（起毛布）３０ｂが設けられ、且つ抵抗体６０に接触するように構成されているがこの限りではなく、簡単な構成で、第二回転清掃体３０が回転する際、一方向の回転と気流を規制し、他方向の回転を許容し気流を規制する効果を奏する部材、取付け方であれば同様の効果が得られる。例えば、本実施形態の刷毛体（起毛布）３０ｂを弾性体とすることでも上記効果を奏すると考えられる。
【００８４】
以上述べたように、本発明によれば、簡単な構成で、前進時には第二回転清掃体３０がほぼ固定して床面と接触するので、前方から吸い込んだ塵埃を第二回転清掃体３０より後方へ排出しにくくすることが可能で、抵抗体６０が刷毛内気流Ｖ２ｂと隙間気流Ｖ２ｃを阻害することで、前方床面気流Ｖ１および後方床面気流Ｖ２ａの流量が増加し塵埃の吸込みが向上し、かつ、後退時には第二回転清掃体３０が回転して、抵抗体６０が隙間気流Ｖ２ｃを阻害することで前方床面気流Ｖ１および後方床面気流Ｖ２ａの流量が増加し、吸込具６の後方の塵埃を吸込室Ｑ２へ搬送することができ、塵埃の吸い残しを抑制できる。また、本実施形態では、第一回転清掃体と、これを回転駆動する電動機を用いる場合を説明したが、掃除機本体２の電動送風機２ａによって発生する吸引力を用いて第一回転清掃体２０を駆動しても、また第一回転清掃体２０がなくても、さらに第２清掃回転体３０が第一回転清掃体２０の前方に配置されても同様の効果が得られる。
【符号の説明】
【００８５】
１電気掃除機
２掃除機本体
２ａ電動送風機
２ｂ集塵部
６吸込具
１０吸口ケース
１１ｃ、１１ｅ、１１ｈ隔壁
２０第一回転清掃体
３０第二回転清掃体
３０ａ回転軸
３０ｂ起毛布
３０ｃ、３０ｄホルダー
４０電動機
５０回路基板（回路基板）
６０抵抗体
Ｍ床面（清掃面）
Ｑ２吸込室
Ｑ１収容室
Ｃ１隙間
【図１】
2018068457.tif 000003
【図２】
2018068457.tif 000004
【図３】
2018068457.tif 000005
【図４】
2018068457.tif 000006
【図５】
2018068457.tif 000007
【図６】
2018068457.tif 000008
【図７】
2018068457.tif 000009
【図８】
2018068457.tif 000010
【図９】
2018068457.tif 000011
【図１０】
2018068457.tif 000012
【図１１】
2018068457.tif 000013
【図１２】
2018068457.tif 000014
【図１３】
2018068457.tif 000015
【図１４】
2018068457.tif 000016
【図１５】
2018068457.tif 000017
【図１６】
2018068457.tif 000018
【図１７】
2018068457.tif 000019